(57)【要約】【課題】エアフィルタの塵埃を自動的に除去する掃除部と本体の機内側（風下側）とを電気的に接続する接続部において、塵埃が機内側へ侵入することを効果的に阻止した電子機器を提供すること。【解決手段】エアフィルタ１１を介して機外空気を吸入する吸入口４１ａを形成する隔壁４１に、エアフィルタ１１を自動的に掃除する掃除部１２が機外側（風上側）に取り付けられる。また、隔壁４１には、掃除部１２を本体の機内側（風下側）に電気的に接続するための開口部４２が設けられるとともに、この開口部４２には基板１７が取り付けられる。また、基板１７には、掃除部１２を接続する機外側（風上側）のコネクタ４５と機内側（風下側）の電気系統を接続する機内側（風下側）のコネクタ４６とが設けられている。また、両コネクタ４５，４６は、基板１７における開口部４２の外周側の領域４７において、例えばスルーホール４８を介して接続されている。【選択図】図３
2011258707.tif 000002
【特許請求の範囲】
【請求項１】
機外側と本体の機内側とを仕切る隔壁に機外空気を機内側に取り入れるための吸入口が設けられ、この吸入口には機外空気中の塵埃を捕捉するエアフィルタが取り付けられ、前記隔壁にはエアフィルタを自動的に掃除する掃除部が機外側に取り付けられるとともに掃除部を本体の機内側に電気的に接続するための開口部が設けられ、この開口部には基板が取り付けられ、この基板には掃除部を接続する機外側のコネクタと機内側の電気系統を接続する機内側のコネクタとが実装され、この基板及びこれらコネクタを介して前記掃除部と前記機内側の電気系統とが電気的に接続された電子機器であって、
前記機外側のコネクタと機内側のコネクタとは、前記基板における開口部の外周側の領域にて接続されている
ことを特徴とする電子機器。
【請求項２】
前記機外側のコネクタと機内側のコネクタとは、前記基板における開口部の外周側の領域であって、隔壁に重なる部分に形成されたスルーホールを介して接続されている
ことを特徴とする請求項１記載の電子機器。
【請求項３】
前記基板は、前記開口部を形成する周壁のさらにその外側まで延設され、
前記機内側のコネクタは、基板の延設された延設部分において、前記機外側のコネクタと同一の面に取り付けられている
ことを特徴とする請求項１記載の電子機器。
【請求項４】
風上側と風下側との隔壁を成す筐体に空気を吸入する吸入口とエアフィルタとが設けられ、さらに、前記筐体には、エアフィルタを自動的に掃除する掃除部が風上側に取り付けられるとともに、掃除部を風下側の電気系統に電気的に接続するための基板とこの基板を取り付けるための開口部とが設けられ、この基板には、掃除部に接続される風上側のコネクタと風下側の電気系統に接続される風下側のコネクタとが実装されたフィルタユニットであって、
前記風上側のコネクタと風下側のコネクタとは、前記基板における開口部の外周側の領域において接続されている
ことを特徴とするフィルタユニット。
【請求項５】
前記風上側のコネクタと風下側のコネクタとは、前記基板における開口部の外周側の領域であって、隔壁を成す筐体に重なる部分に形成されたスルーホールを介して接続されている
ことを特徴とする請求項４記載のフィルタユニット。
【請求項６】
前記基板は、前記開口部を形成する周壁のさらにその外側まで延設され、
前記風下側のコネクタは、基板の延設された延設部分において、前記風上側のコネクタと同一の面に取り付けられている
ことを特徴とする請求項４記載のフィルタユニット。
【発明の詳細な説明】
【技術分野】
【０００１】
本発明は、電子機器及びフィルタユニットに関し、特に、エアフィルタを自動的に掃除するエアフィルタ装置を備えたものに関する。
【背景技術】
【０００２】
従来パーソナルコンピュータ、投写型映像表示装置等の電子機器では、部品を冷却するために機外空気を吸入し、これを冷却空気として送風する方法が取られている。特に、投写型映像表示装置では、光源に用いられる光源ランプが高温になるため、この光源ランプを始め種々の光学系機器を冷却空気で冷却するようにしている。
【０００３】
また、このような電子機器では、吸い込む空気中の塵埃を捕捉するためにエアフィルタが用いられている。しかし、エアフィルタは時間の経過とともに捕捉された塵埃が蓄積されて目詰まりする。また、エアフィルタが目詰まりすると、導入する空気量が減少し、冷却効果が低下する。この問題を解決するために、従来は、手作業でエアフィルタの掃除が行われるのが通常であった。しかし、手作業で掃除することは面倒であるため、最近ではエアフィルタを自動的に掃除するものが開発されている。
【０００４】
特許文献１はその一例であって、投写型映像表示装置の筐体の空気吸込口に、プレフィルタを自動的に掃除するフィルタユニットを取り付けたものである。すなわち、このフィルタユニットでは、プレフィルタが開口部に取り付けられるとともに、プレフィルタに付着した塵埃を除去するブラシがプレフィルタを前後面から挟むように取り付けられている。そして、プレフィルタを取付面上で平行移動させるための駆動ユニットがフィルタユニットの筐体内に設けられている。また、このフィルタユニットは、筐体の側面に設けられたコネクタにより本体側と接続されている。
【先行技術文献】
【特許文献】
【０００５】
【特許文献１】特開２００８−６５０２１号公報
【発明の概要】
【発明が解決しようとする課題】
【０００６】
しかしながら、駆動ユニット等が収納されているフィルタユニットに電源を供給する電源線や制御信号を供給する制御線を、投写型映像表示装置本体内からフィルタユニット内に引き込む場合に開口部から侵入する塵埃を効果的に阻止する機構が不明であった。
【０００７】
ところで、このような場合における従来の一般の方法では、従えば図５に示すように、機内側と機外側との境界を成すフィルタユニットの筐体１０１に開口部１０２を設け、この開口部１０２を塞ぐように基板１０３を設ける。そして、この基板１０３の一方の面に本体内側のコネクタを接続する銅箔パターン１０４を設け、他方の面にフィルタユニット側のコネクタを接続する銅箔パターン１０５を設ける。また、この両銅箔パターン間を接続するスルーホール１０６を設けることになる。ところがこのようにすると、スルーホール１０６を通じ機外空気が機内に取り入れられるため、塵埃が内部に侵入し、映像の劣化を招くおそれがある。
【０００８】
本発明は、従来技術におけるこのような課題に鑑み成されたものであって、エアフィルタの塵埃を自動的に除去する掃除部と本体の機内側（風下側）とを電気的に接続する接続部において、塵埃が機内側へ侵入することを効果的に阻止した電子機器を提供することにある。
【課題を解決するための手段】
【０００９】
本発明に係る電子機器は、上記課題を解決するためになされたものであって、機外側と本体の機内側とを仕切る隔壁に機外空気を機内側に取り入れるための吸入口が設けられ、この吸入口には機外空気中の塵埃を捕捉するエアフィルタが取り付けられ、前記隔壁にはエアフィルタを自動的に掃除する掃除部が機外側に取り付けられるとともに掃除部を本体の機内側に電気的に接続するための開口部が設けられ、この開口部には基板が取り付けられ、この基板には掃除部を接続する機外側のコネクタと機内側の電気系統を接続する機内側のコネクタとが実装され、この基板及びこれらコネクタを介して前記掃除部と前記機内側の電気系統とが電気的に接続された電子機器であって、前記機外側のコネクタと機内側のコネクタとは、前記基板における開口部の外周側の領域にて接続されていることを特徴とする。
【００１０】
このように構成された本発明に係る電子機器によれば、掃除部側のコネクタと機内側のコネクタとは、前記基板における開口部の外周側の領域にて接続されるので、この領域において接続されている限り機外空気がエアフィルタをバイパスして機内側へ侵入することがない。したがって、機内側が塵埃で汚染されることを軽減することができる。
【００１１】
また、前記機外側のコネクタと機内側のコネクタとは、前記基板における開口部の外周側の領域であって、隔壁に重なる部分に形成されたスルーホールを介して接続されているようにしてもよい。このように構成すると、スルーホールの穴部が隔壁で覆われるので、エアフィルタをバイパスして機外から機内へ侵入する機外空気を抑制することができる。
【００１２】
また、このような構成に代えて、前記基板は、前記開口部を形成する周壁のさらにその外側まで延設され、前記機内側のコネクタは、基板の延設された延設部分において、前記機外側のコネクタと同一の面に取り付けられているようにしてもよい。このように構成すれば、前記機内側のコネクタと機外側のコネクタとが基板の同一面に取り付けられているので、スルーホールを基板に設ける必要がない。したがってスルーホールを介し機外空気がバイバスすることがない。
【００１３】
また、本発明に係るフィルタユニットは、風上側と風下側との隔壁を成す筐体に空気を吸入する吸入口とエアフィルタとが設けられ、さらに、前記筐体には、エアフィルタを自動的に掃除する掃除部が風上側に取り付けられるとともに、掃除部を風下側の電気系統に電気的に接続するための基板とこの基板を取り付けるための開口部とが設けられ、この基板には、掃除部に接続される風上側のコネクタと風下側の電気系統に接続される風下側のコネクタとが実装されたフィルタユニットであって、前記風上側のコネクタと風下側のコネクタとは、前記基板における開口部の外周側の領域において接続されていることを特徴とする。
【００１４】
このように構成されたフィルタユニットによれば、掃除部に接続される風上側のコネクタと風下側の電気系統に接続される風下側のコネクタとは、基板における開口部の外周側の領域において接続されているので、この領域において接続されている限り風上側の空気がエアフィルタをバイパスして風下側へ侵入することがない。したがって、風下側の機器が塵埃で汚染されることを軽減することができる。
【００１５】
また、前記風上側のコネクタと風下側のコネクタとは、前記基板における開口部の外周側の領域であって、隔壁を成す筐体に重なる部分に形成されたスルーホールを介して接続されているようにしてもよい。このように構成すると、スルーホールの穴部が隔壁で覆われるので、エアフィルタをバイパスして風上側から風下側へ侵入する空気を抑制することができる。
【００１６】
また、このような構成に代えて、前記基板は、前記開口部を形成する周壁のさらにその外側まで延設され、前記風下側のコネクタは、基板の延設された延設部分において、前記風上側のコネクタと同一の面に取り付けられているようにしてもよい。このように構成すれば、風下側のコネクタと風上側のコネクタとが基板の同一面に取り付けられているので、スルーホールを基板に設ける必要がない。したがってスルーホールを介し風上側の空気が風下側へバイバスされることがない。
【発明の効果】
【００１７】
本発明に係る電子機器によれば、機外側（風上側）のコネクタと機内側（風下側）のコネクタとは、前記基板における開口部の外周側の領域にて接続されるので、この領域において接続されている限り風上の機外空気がエアフィルタをバイパスして風下の機内側へ侵入することがない。したがって、機内側が塵埃で汚染されることを軽減することができる。
【図面の簡単な説明】
【００１８】
【図１】本発明の実施の形態１に係るフィルタユニットを用いた投写型映像表示装置の下方から見た斜視図である。
【図２】同投写型映像表示装置の機能ブロック図である。
【図３】同投写型映像表示装置におけるフィルタユニットの基板周りの構造図であって、（ａ）は基板部分のみの平面図であり、（ｂ）は基板周辺を含む断面図である。
【図４】実施の形態２に係る投写型映像表示装置におけるフィルタユニットの基板周りの断面図である。
【図５】参考例に係る投写型映像表示装置における基板周りの構造図であって、（ａ）は銅箔パターン部分のみの平面図であり、（ｂ）は基板周辺を含む断面図である。
【発明を実施するための形態】
【００１９】
実施の形態１
以下、本発明の実施の形態１に係る電子機器としての投写型映像表示装置（プロジェクタ）について図面を参照しながら説明する。なお、以下の説明において、上下左右方向又は前後方向をいうときは、各図における上下左右方向又は前後方向をいうものとする。
【００２０】
本実施の形態に係る電子機器としての投写型映像表示装置は、３板式液晶投写型映像表示装置であって、図１の外観斜視図に示すような箱型の外装ケース１を備えている。外装ケース１は、底部四隅に脚部２を有しており、底部から冷却空気としての機外空気を吸い込むように構成されている。そして、この外装ケース１には、機内に機外空気を取り入れる空気吸込口３にエアフィルタ装置が配置されている。
【００２１】
エアフィルタ装置は、エアフィルタ１１と、エアフィルタ１１を自動的に掃除する装備とがユニット化されたものであって、フィルタユニット１０として構成されている。このフィルタユニット１０は、外装ケース１に対し投写レンズ４が配置されている正面側からスライド式に着脱可能に形成されている。
【００２２】
フィルタユニット１０は、図２に概略図示するように、筐体１３上にエアフィルタ１１と、自走式の掃除部１２と、筐体１３上におけるエアフィルタ１１の正面側及びその反対側に配置されたラック１４と、このラック１４に噛み合うピニオン１５とが取り付けられている。また、フィルタユニット１０には、自走式の掃除部１２の移動を検知する待機位置センサ１６ａと折り返し位置センサ１６ｂ、自走式の掃除部１２を投写型映像表示装置本体と電気的に接続するための基板１７などが取り付けられている。
【００２３】
また、自走式の掃除部１２は、図２に示すように、エアフィルタ１１に捕捉された塵埃を掻き取るための回転ブラシ１８、ピニオン１５及び回転ブラシ１８を駆動するためのモータ１９、回転ブラシ１８により掻き取られた塵埃を溜めるためのダストボックス２０などを備えている。
【００２４】
エアフィルタ１１は、外装ケース１の底面に形成された空気吸込口３を閉塞するように設けられている。エアフィルタ１１は、下方空間に露出される１次エアフィルタ１１ａと、１次エアフィルタ１１ａの内部側、すなわち、その風下側に配置された２次エアフィルタ（不図示）とからなる。
【００２５】
自走式の掃除部１２は、エアフィルタ１１の風上側表面を移動しながらエアフィルタ１１に捕捉されている塵埃を掻き取り、これによりエアフィルタ１１の吸気性能を回復させるものである。自走式の掃除部１２の駆動は、モータ１９が駆動されることにより行われる。モータ１９が駆動されると、ピニオン１５がラック１４と噛み合いながら回転し、これにより自走式の掃除部１２が自走するように構成されている。また、自走式の掃除部１２が移動するとともに、回転ブラシ１８が歯車機構（図示せず）を介し回転される。したがって、回転ブラシ１８は、回転しながらエアフィルタ１１上を移動し、これによりエアフィルタ１１に付着している塵埃を除去することができる。
【００２６】
自走式の掃除部１２のは、図２に図示の位置が非掃除時に待機している待機位置であり、エアフィルタ１１の塵埃を掻き取るときは図示左端の折り返し位置まで移動する。また、自走式の掃除部１２は、図示左端の折り返し位置まで移動すると図示左端に設置された折り返し位置センサ１６ｂが作動し、この折り返し位置センサ１６ｂからの情報に基づき元の待機位置へ帰還するように制御される。なお、モータ１９は、基板１７を介しプロジェクタ本体側のモータ駆動部２８（後述参照）と接続されている。
【００２７】
このように構成された投写型映像表示装置は、図２の機能ブロック図に示されるような制御装置を備えている。
この投写型映像表示装置は、映像を生成するための要素として、映像信号入力部２１、映像信号処理部２２、液晶パネル駆動部２３、液晶パネル２４、光源ランプ２５、ランプ電源部２６を備えている。また、光学系機器の冷却システムに関連する吸気ファン２７、モータ駆動部２８、目詰まり検出部２９、記憶部３０を備えている。さらに、この投写型映像表示装置は、装置全体の動作を行うための制御部３１、操作部３２及び全体電源部３３を備えている。
【００２８】
映像信号入力部２１には各種映像再生機器からの映像信号が入力される。映像信号入力部２１に入力された映像信号は、Ａ／Ｄ変換、デコード等の適宜の処理が施されてデジタル信号に変換されて映像信号処理部２２へ出力される。
【００２９】
映像信号処理部２２においては、入力された映像信号に対しスケーリング処理、ガンマ補正、輝度補正などの一般的な映像処理が行われ、このような処理が行われた映像信号が液晶パネル駆動部２３へ出力される。
【００３０】
液晶パネル駆動部２３においては、映像信号処理部２２から入力された映像信号が緑色光用、赤色光用及び青色光用の各液晶セルを駆動することができる信号形態に変換される。また、この液晶パネル駆動部２３においては、緑色光用、赤色光用及び青色光用の各液晶セルを駆動のための駆動パルスが同時に生成される。
【００３１】
液晶パネル２４は、緑色光用、赤色光用及び青色光用の各液晶セルからなる。また、各液晶セルは、入力された映像信号に応じた回転角を持ち、分離光学系からの光を透過させることにより映像を作り出す。その表示映像は、投写レンズ４により所定距離離れた場所にあるスクリーンなどに結像される。
【００３２】
光源ランプ２５は、メタルハライドランプ、超高圧水銀ランプなどの放電型ランプを発光体とし、発光体からの照射光をリフレクタにより平行光として出射するものであって、使用中は高温となる。このため冷却を必要とする。光源ランプで生成された光は、光学系を介して液晶パネルに送られる。
【００３３】
ランプ電源部２６は、全体電源部３３から入力された直流の電圧を光源ランプ２５を駆動するのに適した波形の電圧に変換するものであって、光源ランプ２５の始動時あるいは定常動作時などに、それぞれに適した波形の電圧を出力する。
【００３４】
吸気ファン２７は、光源ランプ２５、液晶パネル２４、ランプ電源部２６などの高温になる機器を冷却する冷却空気とし機外空気を取り入れ、この空気をこれら機器へ送風するためのファンである。
【００３５】
モータ駆動部２８は、エアフィルタ１１の自動掃除運転時にフィルタユニット１０のモータ１９を駆動制御するものである。エアフィルタ１１に捕捉された塵埃を掻き取るときは、モータ１９を駆動して、回転ブラシ１８を回転させながら自走式の掃除部１２を図示左端の折り返し位置へ移動させ、所定位置まで移動すると折り返し位置センサ１６ｂからの情報に基づき元の待機位置へ戻すようにモータ１９が駆動される。なお、自走式の掃除部１２は、モータ１９によりラック１４とかみ合っているピニオン１５が回転されることにより移動される。
【００３６】
目詰まり検出部２９は、エアフィルタ１１が目詰まりを生じた際に、目詰まり検出部２９を構成する風量センサの出力電圧が変化することに着目したもので、この出力電圧の変化を予め記憶部３０に記憶された電圧閾値と比較し、目詰まりであるかどうか判断するように構成されている。
【００３７】
記憶部３０は、ＲＯＭ型メモリ及び不揮発性ＲＡＭ型メモリにより構成されており、この投写型映像表示装置全体の制御プログラムが記憶されている他、エアフィルタ１１の目詰まり状態を判断するために必要な情報や、フィルタユニット１０を制御する掃除運転シーケンスのプログラムなどが記憶されている。フィルタユニット１０は、記憶部３０に記憶された記憶情報及びプログラムに従い制御部３１が作動して制御される。
【００３８】
制御部３１は、各部との信号のやり取りを行い、投写型映像表示装置全体の動作が支障なく行われるように各部を制御する。そして、フィルタユニット１０を駆動するときは、待機位置センサ１６ａ及び折り返し位置センサ１６ｂからの情報を受け取りながらモータ駆動部２８に対し必要な制御信号を送信する。
【００３９】
操作部３２は、ユーザが機器を操作するために設けられたものであって、運転スイッチ、キー、リモコン、外部コンピュータなどのユーザが操作する部分が含まれる。操作部３２から入力された情報は、制御部３１で処理されて、制御部３１から各部へ操作内容が伝達されて実行される。
【００４０】
全体電源部３３は、外部電源からの交流電力を導き、内蔵するＡＣ／ＤＣ変換部にて変圧、整流及び平滑などの処理を施して安定化させた直流電圧として各部に供給するように構成されている。
【００４１】
［エアフィルタ装置の動作］
上記のように構成されたエアフィルタ装置は、次のように動作する。
投写型映像表示装置が運転されている間に、目詰まり検出部２９によりエアフィルタが目詰まりしていると検出されたときに、フィルタユニット１０に対し自動掃除運転が行われるよう制御される。
【００４２】
自動掃除運転を行う旨の指令が出されると、自走式の掃除部１２のモータ１９が駆動される。これによりラック１４と噛み合うピニオン１５が駆動されて掃除部１２が図２の図示待機位置から左方に移動する。また、この移動とともに回転ブラシ１８がエアフィルタ１１の表面上で回転され、エアフィルタ１１の表面に付着している塵埃が除去され、除去された塵埃がダストボックス２０に溜められる。掃除部１２が左端の折り返し位置まで到達すると折り返し位置センサ１６ｂがこれを検出する。そして、モータ１９が逆回転され元の待機位置へ戻される。このようにしてエアフィルタ１１の塵埃が自動的に除去される。
【００４３】
次に、この自走式の掃除部１２と投写型映像表示装置本体との電気的に接続する接続部の構造について説明する。
図３（ｂ）に示すように、フィルタユニット１０の筐体１３は、その一部分がエアフィルタ１１の風上側と風下側との隔壁４１、すなわち、投写型映像表示装置の機外側と機内側との隔壁４１を成す。また、この隔壁４１には、空気を取り入れるための吸入口４１ａが形成され、この吸入口４１ａに対応してエアフィルタ１１が取り付けられている。なお。この図３ｂは掃除部１２が図２における左端の折り返し位置に移動し、折り返し位置センサ１６ｂによりその位置が検出されている状態を示してしている。
【００４４】
また、この隔壁４１には、掃除部１２と投写型映像表示装置本体の機内側とを電気的に接続するための開口部４２が設けられ、この開口部４２には、基板１７がねじ４４により取り付けられている。さらに、基板１７には、機外側の掃除部１２、待機位置センサ１６ａ及び折り返し位置センサ１６ｂを接続する機外側（風上側）のコネクタ４５が基板１７の機外側（風上側）に実装されるとともに、機内側の電気系統を接続する機内側（風下側）のコネクタ４６が基板１７の機内側（風下側）に実装されている。また、基板１７における機外側表面及び機内側表面には、コネクタ４５，４６に接続される銅箔パターン１７ａ，１７ｂが形成されている。そして、この機外側の銅箔パターン１７ａと機内側の銅箔パターン１７ｂは、基板１７における開口部４２の外周側であって、開口部４２を形成する周壁と重なる領域４７にまで延出され、これら銅箔パターン１７ａ，１７ｂを接続するスルーホール４８がこの領域４７に形成されている。なお、図３（ｂ）に示すようにコネクタ４５と掃除部１２とはフレキシブル配線板４９により接続されている。
【００４５】
本実施の形態に係るフィルタユニットを搭載した投写型映像表示装置は以上のように構成されており、次のような効果を奏することができる。
（１）機外側（風上側）のコネクタ４５と機内側（風下側）のコネクタ４６とは、前記基板１７における開口部４２の外周側であって、開口部４２の周壁を成す隔壁４１と重なる領域４７にて接続されるので、この領域４７において接続されている限り機外空気がエアフィルタ１１をバイパスして機内側へ侵入することがない。したがって、機内側（風下側）が塵埃で汚染されることを軽減することができる。
【００４６】
（２）具体的には、基板１７における開口部４２の外周側であって、隔壁４１と重なる部分の外側の領域４７にスルーホール４８が形成され、このスルーホール４８と基板１７の表面に形成された銅箔パターン１７ａ，１７ｂを介して接続されている。したがって、スルーホール４８の穴部が隔壁４１で覆われるので、エアフィルタ１１をバイパスして風上側から風下側へ侵入する空気を抑制することができる。
【００４７】
実施の形態２
次に、実施の形態２の投写型映像表示装置について図４を参照しながら説明する。この実施の形態２に係る投写型映像表示装置は、実施の形態１に係る投写型映像表示装置と比較して、基板周りの構造が相違する。以下この基板周りの構造を中心に説明する。なお、図１と共通する部分には同一の符合を付し、その説明を省略する。
【００４８】
この実施の形態２に係る投写型映像表示装置は、図４に示すように、基板１７が開口部４２を形成する周壁のさらにその外側まで延設されている。そして、このように延設された基板１７の延設部分４７ａには、機外側（風上側）のコネクタ４５と同一の面に機内側（風下側）コネクタ４６が取り付けられている。なお、一方の機外側（風上側）のコネクタ４５は、開口部４２の部分に位置する基板表面に取り付けられている。したがって、機外側のコネクタ４５と機内側のコネクタ４６とは、開口部４２の周壁により区分けされた空間部にそれぞれ位置するが、機外側のコネクタ４５の位置から延設部分４７ａに位置するコネクタ４６まで延びる銅箔パターン１７ｃにより接続されている。
【００４９】
本実施の形態に係る投写型映像表示装置によれば、実施の形態１の効果（１）の効果に加え、次の効果を奏することができる。
（３）機内側（風下側）のコネクタ４６と機外側（風上側）のコネクタ４５とが基板１７の同一面である機外側表面に取り付けられているので、スルーホール４８を基板１７に設ける必要がない。したがって、スルーホール４８を介し機外空気が機内側へバイバスするおそれが全くない。
【００５０】
（変形例）
本発明は、上記実施の形態において以下のように変更することができる。
・実施の形態１において、スルーホール４８は、基板１７における開口部４２の外周側であって、隔壁４１と重なる部分の領域４７に形成されているが、開口部４２を形成する周壁のさらにその外側の延設部分４７ａに形成されるようにしてもよい。
【００５１】
・本実施の形態に係る投写型映像表示装置においては、エアフィルタ装置としてフィルタユニット１０が用いられているが、このフィルタユニット１０に代えて機内に一体的に組み込まれたエアフィルタ装置を用いたものでもよい。
【００５２】
・また、このようにエアフィルタ装置を機内に一体的に組み込んだ投写型映像表示装置においては、機外側と機内側との隔壁４１を投写型映像表示装置本体を形成する筐体、例えば外装ケース１により形成してもよい。
【００５３】
・本実施の形態においては、電子機器として投写型映像表示装置を例示しているが、これに限定されるものではなく大型コンピュ−タ、パーソナルコンピュータなどの冷却空気を機外から機内に取り入れる他の電子機器でもよい。
【符号の説明】
【００５４】
７…基板、１０…フィルタユニット、１１…エアフィルタ、１２…掃除部、１３…筐体、１７…基板、４１…隔壁、４１ａ…吸入口、４２…開口部、４５，４６…コネクタ、４７…領域、４７ａ…延設部分、４８…スルーホール。
【図１】
2011258707.tif 000003
【図２】
2011258707.tif 000004
【図３】
2011258707.tif 000005
【図４】
2011258707.tif 000006
【図５】
2011258707.tif 000007